(57)【要約】  踏板が横幅方向に移動することを抑制することができるエスカレーター用簡易ステップを得る。このエスカレーター用簡易ステップは、踏板１と、踏板１における上階側部分に設けられ、上階側ステップ軸７に載せられる上階側支持部２と、踏板１における下階側部分に設けられ、踏板１から下方に向かって延びる脚部３と、脚部３に設けられ、下階側ステップ軸８に支持される下階側支持部４と、上階側ステップ軸７に対して上階側支持部２を固定する支持部固定部材５とを備えている。
2019159366.tif 000002
【特許請求の範囲】
【請求項１】
踏板と、
前記踏板における上階側部分に設けられ、上階側ステップ軸に載せられる上階側支持部と、
前記踏板における下階側部分に設けられ、前記踏板から下方に向かって延びる脚部と、
前記脚部に設けられ、前記上階側ステップ軸よりも下階側に設けられた下階側ステップ軸に載せられる下階側支持部と、
前記上階側ステップ軸に対して前記上階側支持部を固定する支持部固定部材と
を備えたエスカレーター用簡易ステップ。
【請求項２】
前記脚部は、
前記踏板に対して回動可能に設けられ、前記踏板に重ねられる収納位置と前記踏板から下方に向かって延びる支持位置との間で変位する脚部本体と、
前記脚部本体と前記踏板との間に設けられ、前記脚部本体の位置が前記収納位置である場合および前記支持位置である場合の中で少なくとも前記支持位置である場合に前記踏板に対して前記脚部本体を固定する脚部本体固定部材と
を有している請求項１に記載のエスカレーター用簡易ステップ。
【請求項３】
前記下階側ステップ軸から前記下階側支持部が外れることを規制する規制部材をさらに備えた請求項１または請求項２に記載のエスカレーター用簡易ステップ。
【請求項４】
前記支持部固定部材は、前記踏板に対して回動可能に設けられた腕部と、前記腕部に設けられた固定具とを有し、
前記固定具は、前記腕部が回動することによって、前記上階側支持部との間に前記上階側ステップ軸が配置される固定位置と前記上階側支持部との間から前記上階側ステップ軸が外れる解除位置との間で変位する請求項１から請求項３までの何れか一項に記載のエスカレーター用簡易ステップ。
【請求項５】
踏板と、
前記踏板における上階側部分に設けられ、上階側ステップ軸に載せられる上階側支持部と、
前記踏板における下階側部分に設けられ、前記踏板から下方に向かって延びる脚部と、
前記脚部に設けられ、前記上階側ステップ軸よりも下階側に設けられた下階側ステップ軸に載せられる下階側支持部と、
前記下階側ステップ軸に対して前記下階側支持部を固定する支持部固定部材と
を備えたエスカレーター用簡易ステップ。
【発明の詳細な説明】
【技術分野】
【０００１】
この発明は、踏板を備えたエスカレーター用簡易ステップに関する。
【背景技術】
【０００２】
従来、エスカレーターにおける移動方向に並べられた複数のステップから一部のステップを取り外すことによって形成されたステップ開口部に設けられるエスカレーター用簡易ステップが知られている。このエスカレーター用簡易ステップは、作業者に乗り降りされる踏板と、踏板における上階側部分に設けられ、上階側ステップ軸に支持される上階側支持部とを備えている。また、このエスカレーター用簡易ステップは、踏板における下階側部分に設けられ、踏板から下方に向かって延びる脚部と、脚部に設けられ、上階側ステップ軸よりも下階側に設けられた下階側ステップ軸に支持される下階側支持部とを備えている（例えば、特許文献１参照）。
【先行技術文献】
【特許文献】
【０００３】
【特許文献１】実開昭５２−１５５３０１号公報
【発明の概要】
【発明が解決しようとする課題】
【０００４】
しかしながら、作業者が踏板に対して乗り降りする場合に、踏板が横幅方向に移動してしまうおそれがある。その結果、作業効率が悪くなってしまうという問題点があった。【０００５】
この発明は、上述のような課題を解決するためになされたものであり、その目的は、踏板が横幅方向に移動することを抑制することができるエスカレーター用簡易ステップを提供するものである。
【課題を解決するための手段】
【０００６】
この発明に係るエスカレーター用簡易ステップは、踏板と、踏板における上階側部分に設けられ、上階側ステップ軸に載せられる上階側支持部と、踏板における下階側部分に設けられ、踏板から下方に向かって延びる脚部と、脚部に設けられ、上階側ステップ軸よりも下階側に設けられた下階側ステップ軸に載せられる下階側支持部と、上階側ステップ軸に対して上階側支持部を固定する支持部固定部材とを備えている。
【発明の効果】
【０００７】
この発明に係るエスカレーター用簡易ステップによれば、支持部固定部材によって上階側ステップ軸に対して上階側支持部が固定される。これにより、踏板が横幅方向に移動することを抑制することができる。
【図面の簡単な説明】
【０００８】
【図１】この発明の実施の形態１に係るエスカレーター用簡易ステップを示す側面図である。
【図２】図１のエスカレーター用簡易ステップを示す平面図である。
【図３】図１のエスカレーター用簡易ステップを示す背面図である。
【図４】図１の脚部本体が変位した場合のエスカレーター用簡易ステップを示す側面図である。
【図５】図１のエスカレーター用簡易ステップの要部を示す正面図である。
【図６】図３のエスカレーター用簡易ステップの要部を示す側面図である。
【発明を実施するための形態】
【０００９】
実施の形態１．
図１は、この発明の実施の形態１に係るエスカレーター用簡易ステップを示す側面図、図２は、図１のエスカレーター用簡易ステップを示す平面図、図３は、図１のエスカレーター用簡易ステップを示す背面図である。図において、この発明の実施の形態１に係るエスカレーター用簡易ステップは、エスカレーターにおける移動方向に並べられた複数のステップから一部のステップを取り外すことによって形成されたステップ開口部に設けられる。このエスカレーター用簡易ステップは、作業者に乗り降りされる踏板１と、踏板１の上階側部分に設けられた上階側支持部２と、踏板１の下階側部分に設けられた一対の脚部３とを備えている。
【００１０】
この例では、上階側とは、上方から視た場合に上階側乗降口に近い側である。また、下階側とは、上方から視た場合に下階側乗降口に近い側である。
【００１１】
また、このエスカレーター用簡易ステップは、それぞれの脚部３に設けられた一対の下階側支持部４と、上階側支持部２に設けられた支持部固定部材５と、下階側支持部４に設けられた規制部材６とを備えている。
【００１２】
ステップ開口部には、ステップが取り外された複数のステップ軸が配置される。エスカレーターの移動方向に隣り合う一対のステップ軸の中で上階側に配置されたステップ軸を上階側ステップ軸７とし、下階側に配置されたステップ軸を下階側ステップ軸８とする。したがって、下階側ステップ軸８は、上階側ステップ軸７よりも下階側に配置される。
【００１３】
上階側支持部２は、上階側ステップ軸７に載せられる。下階側支持部４は、下階側ステップ軸８に載せられる。上階側支持部２が上階側ステップ軸７に載せられ、下階側支持部４が下階側ステップ軸８に載せられることによって、エスカレーター用簡易ステップが上階側ステップ軸７および下階側ステップ軸８に支持される。
【００１４】
踏板１は、板形状に形成された踏板本体１１と、踏板本体１１の上面に設けられたスリップ抑制シート１２と、踏板本体１１における横幅方向両端部に設けられた一対の側壁１３と、踏板本体１１における下階側端部に設けられた後壁１４とを有している。スリップ抑制シート１２の色は、黄色となっている。これにより、踏板１に乗る作業者は、スリップ抑制シート１２を容易に確認することができる。側壁１３および後壁１４のそれぞれは、踏板本体１１から下方に向かって延びて配置されている。
【００１５】
踏板本体１１における上階側部分であって、踏板本体１１の横幅方向中央部分には、支持部固定部材５が配置される切欠き部１１１が形成されている。
【００１６】
上階側支持部２は、踏板本体１１における上階側部分であって踏板本体１１の下面に固定されている。上階側支持部２は、踏板本体１１の下面に面接触する第１板部２１と、第１板部２１よりも下方に設けられ、第１板部２１に対向する第２板部２２と、第１板部２１と第２板部２２とが連結される連結部２３とを有している。第１板部２１の横幅方向中央部分には、切欠き部２１１が形成されている。連結部２３は、第１板部２１における下階側端部と第２板部２２における下階側端部とを連結している。
【００１７】
第１板部２１と第２板部２２との間には、上階側ステップ軸７が挿入可能となっている。上階側ステップ軸７は、第１板部２１と第２板部２２との間に、水平方向であって上階側から下階側に向かって挿入される。上階側支持部２は、第１板部２１と第２板部２２との間に上階側ステップ軸７が挿入されることによって、上階側ステップ軸７に載せられる。
【００１８】
それぞれの脚部３は、踏板１に対して回動可能に設けられた脚部本体３１と、脚部本体３１と踏板１との間に設けられ、踏板１に対して脚部本体３１を固定する脚部本体固定部材３２とを有している。図４は、図１の脚部本体３１が変位した場合のエスカレーター用簡易ステップを示す側面図である。図１および図４に示すように、脚部本体３１は、踏板１に重ねられる収納位置と、踏板１から下方に向かって延びる支持位置との間で変位する。
【００１９】
脚部本体固定部材３２は、脚部本体３１の位置が収納位置である場合および支持位置である場合に踏板１に対して脚部本体３１を固定する。脚部本体固定部材３２は、脚部３に回動可能に設けられた固定部材本体３２１と、側壁１３に設けられた第１突起部３２２と、側壁１３に設けられた第２突起部３２３とを有している。第１突起部３２２は、第２突起部３２３よりも上階側に配置されている。
【００２０】
固定部材本体３２１の基端部が脚部３に回動可能に設けられている。固定部材本体３２１の先端部には、第１突起部３２２および第２突起部３２３が挿入される切欠き部３２４が形成されている。
【００２１】
図４に示すように、脚部本体３１の位置が収納位置である場合に、固定部材本体３２１の切欠き部３２４に第１突起部３２２が挿入可能となる。切欠き部３２４に第１突起部３２２が挿入されることによって、収納位置にある脚部本体３１が踏板１に対して固定される。
【００２２】
一方、図１に示すように、脚部本体３１の位置が支持位置である場合に、固定部材本体３２１の切欠き部３２４に第２突起部３２３が挿入可能となる。切欠き部３２４に第２突起部３２３が挿入されることによって、支持位置にある脚部本体３１が踏板１に対して固定される。
【００２３】
下階側支持部４は、脚部本体３１の位置が支持位置である場合における脚部本体３１の下端部に設けられている。言い換えれば、下階側支持部４は、脚部本体３１の先端部に設けられている。図１に示すように、下階側支持部４は、脚部本体３１の下面に面接触する第１板部４１と、第１板部４１よりも下方に設けられ、第１板部４１に対向する第２板部４２と、第１板部４１と第２板部４２とを連結する連結部４３とを有している。連結部４３は、脚部本体３１の位置が支持位置である場合において、第１板部４１における上階側端部と第２板部４２における上階側端部とを連結している。
【００２４】
第１板部４１と第２板部４２との間には、下階側ステップ軸８が挿入可能となっている。下階側ステップ軸８は、第１板部４１と第２板部４２との間に、水平方向であって下階側から上階側に向かって挿入される。下階側支持部４は、第１板部４１と第２板部４２との間に下階側ステップ軸８が挿入されることによって、下階側ステップ軸８に載せられる。
【００２５】
図１および図２に示すように、支持部固定部材５は、踏板１に対して回動可能に設けられたＬ字形状の腕部５１と、腕部５１に対して進退可能に設けられた固定具である固定ねじ５２とを有している。固定ねじ５２は、ねじ本体５２１と、ねじ本体５２１の先端部に設けられ、上階側ステップ軸７に接触する当接片５２２とを有している。当接片５２２は、例えば、上階側ステップ軸７よりも軟らかい金属、樹脂などから構成されている。したがって、当接片５２２が上階側ステップ軸７に接触する場合に上階側ステップ軸７に損傷が発生することが抑制される。腕部５１が回動することによって、固定ねじ５２は、固定ねじ５２と連結部２３との間に上階側ステップ軸７が配置される固定位置と、固定ねじ５２と連結部２３との間から上階側ステップ軸７が外れる解除位置との間で変位する。
【００２６】
固定ねじ５２の位置が固定位置である場合に、固定ねじ５２が腕部５１に対して移動することによって、連結部２３に対して近づいたり離れたりする方向に移動する。固定ねじ５２の位置が固定位置である場合に、固定ねじ５２が腕部５１に対して連結部２３に向かって移動することによって、固定ねじ５２の当接片５２２が上階側ステップ軸７を連結部２３に向かって押す。これにより、上階側ステップ軸７に対して上階側支持部２が固定される。
【００２７】
図５は、図１のエスカレーター用簡易ステップの要部を示す正面図である。固定ねじ５２が解除位置から固定位置に変位する場合に、固定ねじ５２が第１板部２１の切欠き２１１を通過する。固定ねじ５２の位置が固定位置である場合に、腕部５１は、第１板部２１に支持される。
【００２８】
図６は、図３のエスカレーター用簡易ステップの要部を示す側面図である。規制部材６は、下階側支持部４の第１板部４１および第２板部４２のそれぞれに形成された貫通孔に挿入される規制具である規制ピン６１と、規制ピン６１と下階側支持部４の第２板部４２とに渡って設けられた落下防止部材６２とを有している。
【００２９】
規制ピン６１は、第１板部４１および第２板部４２のそれぞれの貫通孔の直径よりも僅かに小さい直径のピン部６１１と、ピン部６１１の長手方向一端部に設けられ、第１板部４１および第２板部４２のそれぞれの貫通孔の直径よりも大きい直径の頭部６１２とを有している。頭部６１２がピン部６１１よりも上方に配置された状態で、上方から第１板部４１および第２板部４２のそれぞれの貫通孔にピン部６１１が挿入されることによって、規制ピン６１が下階側支持部４に支持される。これにより、下階側ステップ軸８が下階側支持部４から外れることが規制される。
【００３０】
次に、このエスカレーター用簡易ステップの取付手順について説明する。まず、作業者は、エスカレーター用簡易ステップをステップ開口部に持ち運ぶ。この時、固定ねじ５２の位置は固定位置であり、脚部本体３１の位置は収納位置であり、切欠き部３２４には第１突起部３２２が挿入されている。
【００３１】
その後、作業者は、固定ねじ５２を固定位置から解除位置に変位させ、上階側支持部２の第１板部２１と第２板部２２との間に上階側ステップ軸７を挿入させる。これにより、上階側支持部２が上階側ステップ軸７に載せられる。
【００３２】
その後、作業者は、切欠き部３２４から第１突起部３２２を引き抜き、脚部本体３１を収納位置から支持位置に変位させる。このとき、作業者は、下階側支持部４の第１板部４１と第２板部４２との間に下階側ステップ軸８を挿入させる。これにより、下階側支持部４が下階側ステップ軸８に載せられる。その結果、エスカレーター用簡易ステップは、上階側ステップ軸７および下階側ステップ軸８に支持される。
【００３３】
その後、作業者は、切欠き部３２４に第２突起部３２３を挿入して、脚部本体３１を踏板１に対して固定する。
【００３４】
その後、作業者は、固定ねじ５２を解除位置から固定位置に変位させ、固定ねじ５２を腕部５１に対して連結部２３に向かって移動させる。これにより、固定ねじ５２の当接片５２２が上階側ステップ軸７を連結部２３に向かって押す。その結果、上階側ステップ軸７に対して上階側支持部２が固定される。したがって、踏板１が横幅方向に移動することが抑制される。
【００３５】
その後、作業者は、頭部６１２をピン部６１１よりも上方に配置させ、上方から第１板部４１および第２板部４２のそれぞれの貫通孔にピン部６１１を挿入する。これにより、規制ピン６１が下階側支持部４に支持される。したがって、下階側ステップ軸８が下階側支持部４から外れることが規制される。以上により、このエスカレーター用簡易ステップの取付手順が終了する。
【００３６】
以上説明したように、この発明の実施の形態１に係るエスカレーター用簡易ステップによれば、上階側ステップ軸７に載せられる上階側支持部２と、上階側ステップ軸７に対して上階側支持部２を固定する支持部固定部材５とを備えている。これにより、踏板１が横幅方向に移動することを抑制することができる。その結果、作業者の作業効率を向上させることができる。
【００３７】
また、脚部３は、踏板１に重ねられる収納位置と踏板１から下方に向かって延びる支持位置との間で変位する脚部本体３１と、脚部本体３１の位置が収納位置である場合および支持位置である場合に踏板１に対して脚部本体３１を固定する脚部本体固定部材３２とを有している。これにより、脚部本体３１の位置が収納位置に固定された状態でエスカレーター用簡易ステップを容易に持ち運ぶことができ、かつ、脚部本体３１の位置が支持位置に固定された状態で下階側ステップ軸８に下階側支持部４を載せることができる。
【００３８】
また、このエスカレーター用簡易ステップは、下階側ステップ軸８から下階側支持部４が外れることを規制する規制部材６を備えている。これにより、下階側ステップ軸８に下階側支持部４を安定して載せることができる。
【００３９】
また、支持部固定部材５は、踏板１に対して回動可能に設けられた腕部５１と、腕部５１に設けられた固定ねじ５２とを有している。固定ねじ５２は、腕部５１が回動することによって、固定ねじ５２と連結部２３との間に上階側ステップ軸７が配置される固定位置と、固定ねじ５２と連結部２３との間から上階側ステップ軸７が外れる解除位置との間で変位する。これにより、支持部固定部材５の位置を解除位置にすることによって、上階側ステップ軸７に対して上階側支持部２を容易に着脱することができ、また、支持部固定部材５の位置を固定位置にすることによって、上階側ステップ軸７に対して上階側支持部２を容易に固定することができる。
【００４０】
なお、上記実施の形態１では、上階側ステップ軸７に対して上階側支持部２を固定する支持部固定部材５を備えたエスカレーター用簡易ステップの構成について説明した。これに対して、下階側ステップ軸８に対して下階側支持部４を固定する支持部固定部材を備えたエスカレーター用簡易ステップであってもよい。この場合、上階側ステップ軸７から上階側支持部２が外れることを規制する規制部材をさらに備えてもよい。
【００４１】
また、上記実施の形態１では、脚部本体固定部材３２が、脚部本体３１の位置が収納位置である場合および支持位置である場合に踏板１に対して脚部本体３１を固定する構成について説明した。これに対して、脚部本体固定部材３２が、脚部本体３１の位置が支持位置である場合にのみ踏板１に対して脚部本体３１を固定する構成であってもよい。
【符号の説明】
【００４２】
１  踏板、２  上階側支持部、３  脚部、４  下階側支持部、５  支持部固定部材、６  規制部材、７  上階側ステップ軸、８  下階側ステップ軸、１１  踏板本体、１２  スリップ抑制シート、１３  側壁、１４  後壁、２１  第１板部、２２  第２板部、２３  連結部、３１  脚部本体、３２  脚部本体固定部材、４１  第１板部、４２  第２板部、４３  連結部、５１  腕部、５２  固定ねじ、６１  規制ピン、６２  落下防止部材、１１１  切欠き部、２１１  切欠き部、３２１  固定部材本体、３２２  第１突起部、３２３  第２突起部、３２４  切欠き部、５２１  ねじ本体、５２２  当接片、６１１  ピン部、６１２  頭部。
【図１】
2019159366.tif 000003
【図２】
2019159366.tif 000004
【図３】
2019159366.tif 000005
【図４】
2019159366.tif 000006
【図５】
2019159366.tif 000007
【図６】
2019159366.tif 000008
【手続補正書】
【提出日】平成30年7月3日(2018.7.3)
【手続補正１】
【補正対象書類名】明細書
【補正対象項目名】０００６
【補正方法】変更
【補正の内容】
【０００６】
この発明に係るエスカレーター用簡易ステップは、踏板と、踏板における上階側部分に設けられ、上階側ステップ軸に載せられる上階側支持部と、踏板における下階側部分に設けられ、踏板から下方に向かって延びる脚部と、脚部に設けられ、上階側ステップ軸よりも下階側に設けられた下階側ステップ軸に載せられる下階側支持部と、上階側ステップ軸に対して上階側支持部を固定する支持部固定部材とを備え、支持部固定部材は、踏板に対して回動可能に設けられた腕部と、腕部に設けられた固定具とを有し、固定具は、腕部が回動することによって、上階側支持部との間に上階側ステップ軸が配置される固定位置と上階側支持部との間から上階側ステップ軸が外れる解除位置との間で変位する。
【手続補正２】
【補正対象書類名】特許請求の範囲
【補正対象項目名】全文
【補正方法】変更
【補正の内容】
【特許請求の範囲】
【請求項１】
踏板と、
前記踏板における上階側部分に設けられ、上階側ステップ軸に載せられる上階側支持部と、
前記踏板における下階側部分に設けられ、前記踏板から下方に向かって延びる脚部と、
前記脚部に設けられ、前記上階側ステップ軸よりも下階側に設けられた下階側ステップ軸に載せられる下階側支持部と、
前記上階側ステップ軸に対して前記上階側支持部を固定する支持部固定部材と
を備え、
前記支持部固定部材は、前記踏板に対して回動可能に設けられた腕部と、前記腕部に設けられた固定具とを有し、
前記固定具は、前記腕部が回動することによって、前記上階側支持部との間に前記上階側ステップ軸が配置される固定位置と前記上階側支持部との間から前記上階側ステップ軸が外れる解除位置との間で変位するエスカレーター用簡易ステップ。
【請求項２】
前記脚部は、
前記踏板に対して回動可能に設けられ、前記踏板に重ねられる収納位置と前記踏板から下方に向かって延びる支持位置との間で変位する脚部本体と、
前記脚部本体と前記踏板との間に設けられ、前記脚部本体の位置が前記収納位置である場合および前記支持位置である場合の中で少なくとも前記支持位置である場合に前記踏板に対して前記脚部本体を固定する脚部本体固定部材と
を有している請求項１に記載のエスカレーター用簡易ステップ。
【請求項３】
前記下階側ステップ軸から前記下階側支持部が外れることを規制する規制部材をさらに備えた請求項１または請求項２に記載のエスカレーター用簡易ステップ。
【請求項４】
前記固定具は、ねじ本体と、前記ねじ本体の先端部に設けられ、前記上階側ステップ軸に接触する当接片とを含んでいる請求項１から請求項３までの何れか一項に記載のエスカレーター用簡易ステップ。
【請求項５】
前記上階側支持部は、前記踏板の下面に面接触する第１板部を有し、
前記第１板部には、切欠きが形成されており、
前記固定具は、前記固定具が前記解除位置と前記固定位置との間で変位する場合に、前記切欠きを通過する請求項１から請求項４までの何れか一項に記載のエスカレーター用簡易ステップ。
【手続補正書】
【提出日】平成30年9月6日(2018.9.6)
【手続補正１】
【補正対象書類名】明細書
【補正対象項目名】０００６
【補正方法】変更
【補正の内容】
【０００６】
この発明に係るエスカレーター用簡易ステップは、踏板と、踏板における上階側部分に設けられ、上階側ステップ軸に載せられる上階側支持部と、踏板における下階側部分に設けられ、踏板から下方に向かって延びる脚部と、脚部に設けられ、上階側ステップ軸よりも下階側に設けられた下階側ステップ軸に載せられる下階側支持部と、上階側ステップ軸に対して上階側支持部を固定する支持部固定部材とを備え、支持部固定部材は、踏板に対して回動可能に設けられた腕部と、腕部に設けられた固定具とを有し、固定具は、腕部が回動することによって、上階側支持部との間に上階側ステップ軸が配置される固定位置と上階側支持部との間から上階側ステップ軸が外れる解除位置との間で変位し、固定具は、ねじ本体と、ねじ本体の先端部に設けられ、上階側ステップ軸に接触する当接片とを含んでいる。
また、エスカレーター用簡易ステップは、踏板と、踏板における上階側部分に設けられ、上階側ステップ軸に載せられる上階側支持部と、踏板における下階側部分に設けられ、踏板から下方に向かって延びる脚部と、脚部に設けられ、上階側ステップ軸よりも下階側に設けられた下階側ステップ軸に載せられる下階側支持部と、上階側ステップ軸に対して上階側支持部を固定する支持部固定部材とを備え、支持部固定部材は、踏板に対して回動可能に設けられた腕部と、腕部に設けられた固定具とを有し、固定具は、腕部が回動することによって、上階側支持部との間に上階側ステップ軸が配置される固定位置と上階側支持部との間から上階側ステップ軸が外れる解除位置との間で変位し、上階側支持部は、踏板の下面に面接触する第１板部を有し、第１板部には、切欠きが形成されており、固定具は、固定具が解除位置と固定位置との間で変位する場合に、切欠きを通過する。
【手続補正２】
【補正対象書類名】特許請求の範囲
【補正対象項目名】全文
【補正方法】変更
【補正の内容】
【特許請求の範囲】
【請求項１】
踏板と、
前記踏板における上階側部分に設けられ、上階側ステップ軸に載せられる上階側支持部と、
前記踏板における下階側部分に設けられ、前記踏板から下方に向かって延びる脚部と、
前記脚部に設けられ、前記上階側ステップ軸よりも下階側に設けられた下階側ステップ軸に載せられる下階側支持部と、
前記上階側ステップ軸に対して前記上階側支持部を固定する支持部固定部材と
を備え、
前記支持部固定部材は、前記踏板に対して回動可能に設けられた腕部と、前記腕部に設けられた固定具とを有し、
前記固定具は、前記腕部が回動することによって、前記上階側支持部との間に前記上階側ステップ軸が配置される固定位置と前記上階側支持部との間から前記上階側ステップ軸が外れる解除位置との間で変位し、
前記固定具は、ねじ本体と、前記ねじ本体の先端部に設けられ、前記上階側ステップ軸に接触する当接片とを含んでいるエスカレーター用簡易ステップ。
【請求項２】
踏板と、
前記踏板における上階側部分に設けられ、上階側ステップ軸に載せられる上階側支持部と、
前記踏板における下階側部分に設けられ、前記踏板から下方に向かって延びる脚部と、
前記脚部に設けられ、前記上階側ステップ軸よりも下階側に設けられた下階側ステップ軸に載せられる下階側支持部と、
前記上階側ステップ軸に対して前記上階側支持部を固定する支持部固定部材と
を備え、
前記支持部固定部材は、前記踏板に対して回動可能に設けられた腕部と、前記腕部に設けられた固定具とを有し、
前記固定具は、前記腕部が回動することによって、前記上階側支持部との間に前記上階側ステップ軸が配置される固定位置と前記上階側支持部との間から前記上階側ステップ軸が外れる解除位置との間で変位し、
前記上階側支持部は、前記踏板の下面に面接触する第１板部を有し、
前記第１板部には、切欠きが形成されており、
前記固定具は、前記固定具が前記解除位置と前記固定位置との間で変位する場合に、前記切欠きを通過するエスカレーター用簡易ステップ。
【請求項３】
前記固定具は、ねじ本体と、前記ねじ本体の先端部に設けられ、前記上階側ステップ軸に接触する当接片とを含んでいる請求項２に記載のエスカレーター用簡易ステップ。
【請求項４】
前記脚部は、
前記踏板に対して回動可能に設けられ、前記踏板に重ねられる収納位置と前記踏板から下方に向かって延びる支持位置との間で変位する脚部本体と、
前記脚部本体と前記踏板との間に設けられ、前記脚部本体の位置が前記収納位置である場合および前記支持位置である場合の中で少なくとも前記支持位置である場合に前記踏板に対して前記脚部本体を固定する脚部本体固定部材と
を有している請求項１から請求項３までの何れか一項に記載のエスカレーター用簡易ステップ。
【請求項５】
前記下階側ステップ軸から前記下階側支持部が外れることを規制する規制部材をさらに備えた請求項１から請求項４までの何れか一項に記載のエスカレーター用簡易ステップ。
【国際調査報告】
2019159366.tif 000009
2019159366.tif 000010
2019159366.tif 000011
2019159366.tif 000012